(57)【要約】【課題】外壁材の種類に関係なく、当該外壁材の取付けを行うことが可能となる建物の両面外壁構造及び建物の両面外壁の固定方法を得ることを目的とする。【解決手段】取付けフレーム４０には、横フレーム４８、５０と縦フレーム５２、５４との間には開口部５５が形成されているため、横フレーム４８の外面に対して、ＡＬＣ内側外壁材４４をボルト締結させ固定させた後、横フレーム５０の外面に対しては、当該開口部５５を通じて取付けフレーム４０の内側からＡＬＣ外側外壁材４６をボルト締結させ固定することができる。すなわち、取付けフレーム４０では、外壁材がＡＬＣ内側外壁材４４、ＡＬＣ外側外壁材４６であっても当該取付けフレーム４０にＡＬＣ内側外壁材４４及びＡＬＣ外側外壁材４６を固定させることができる。したがって、外壁材の種類に関係なく、当該外壁材の取付けを行うことが可能となる。【選択図】図４
2019199699.tif 000002
【特許請求の範囲】
【請求項１】
建物の外壁における垂れ壁の骨格の一部を構成する梁材に固定された取付けフレームと、
前記取付けフレームに固定され、前記垂れ壁を構成する外壁材と、
を備え、
前記取付けフレームは、
前記取付けフレームの上端部に設けられ、前記梁材の延在方向に沿って複数固定された固定プレートと、
前記固定プレートからそれぞれ垂下され、前記梁材の延在方向に沿って複数設けられた縦フレームと、
前記取付けフレームの両側面にそれぞれ設けられ、複数の前記縦フレームにおいて、前記梁材の延在方向に対して直交する幅方向の両端がそれぞれ固定され、複数の前記縦フレームとの間で開口部が形成され、外面側に外壁材がそれぞれ固定された一対の横フレームと、
を含んで構成されている建物の両面外壁構造。
【請求項２】
建物の外壁における腰壁の骨格の一部を構成する梁材に固定された取付けフレームと、
前記取付けフレームに固定され、前記腰壁を構成する外壁材と、
を備え、
前記取付けフレームは、
前記取付けフレームの下端部に設けられ、前記梁材の延在方向に沿って複数固定された固定プレートと、
前記固定プレートからそれぞれ立設され、前記梁材の延在方向に沿って複数設けられた縦フレームと、
前記取付けフレームの両側面にそれぞれ設けられ、複数の前記縦フレームにおいて、前記梁材の延在方向に対して直交する幅方向の両端がそれぞれ固定され、複数の前記縦フレームとの間で開口部が形成され、外面側に外壁材がそれぞれ固定された一対の横フレームと、
を含んで構成されている建物の両面外壁構造。
【請求項３】
前記横フレームは、
前記縦フレームの上端部に設けられた上側横フレームと、
前記縦フレームの下端部に設けられ、水平方向に沿って張り出し前記外壁材が載置可能な載置片が形成された下側横フレームと、
を含んで構成されている請求項１又は請求項２に記載に記載の建物の両面外壁構造。
【請求項４】
前記外壁材として、ＡＬＣ外壁材が用いられている請求項１〜請求項３の何れか１項に記載の建物の両面外壁構造。
【請求項５】
前記一対の横フレームにそれぞれ形成された貫通孔から前記ＡＬＣ外壁材の裏面側に形成された固定用アンカー孔へボルトが挿入され締結されている請求項４に記載の建物の両面外壁構造。
【請求項６】
請求項１〜請求項５の何れか１項に記載された建物の両面外壁構造に適用される建物の両面外壁の固定方法であって、
前記一対の横フレームのうち一方の横フレームに形成された貫通孔から第１ＡＬＣ外壁材の裏面側に形成された第１固定用アンカー孔へボルトを挿入し締結させる第１締結工程と、
前記開口部を通じて、前記一対の横フレームのうち他方の横フレームに形成された貫通孔から第２ＡＬＣ外壁材の裏面側に形成された第２固定用アンカー孔へボルトを挿入し締結させる第２締結工程と、
を有する建物の両面外壁の固定方法。
【発明の詳細な説明】
【技術分野】
【０００１】
本発明は、建物の両面外壁構造及び建物の両面外壁の固定方法に関する。
【背景技術】
【０００２】
下記特許文献１には、サイディング材で形成された外壁パネル（以下、「外側外壁材」という）と内壁パネル（以下、「内側外壁材」という）とで構成されるバルコニー壁において、外側外壁材に対して内壁外壁材を固定する技術が開示されている。この先行技術では、隣り合う一対の外側外壁材の裏面側には、それぞれ縦フレーム材が固定されており、隣り合う一対の内側外壁材の裏面側にはそれぞれ縦枠材が固定されている。そして、一対の縦フレームを跨って取付部材が嵌め込まれるようになっている。この取付部材には押さえプレートがボルト締めされるようになっており、当該押さえプレートを介して縦枠材が取付部材に取付けられ、その結果、内側外壁材が外側外壁材へ固定されるようになっている。
【先行技術文献】
【特許文献】
【０００３】
【特許文献１】特開平１１−３４３６６１号公報
【発明の概要】
【発明が解決しようとする課題】
【０００４】
上記先行技術では、外側外壁材及び内側外壁材として、サイディング材が用いられており、押さえプレートのボルト締めは、隣り合って配置された内側外壁材間の隙間（いわゆる目地部）において内側外壁材の外側（表面側）から行われるようになっている。
【０００５】
一方、外側外壁材及び内側外壁材として、軽量気泡コンクリート（以下、「ＡＬＣ外壁材」という）が用いられる場合、ＡＬＣ外壁材はアンカーボルトを用いてフレームに固定される。この場合、ＡＬＣ外壁材の裏面側からアンカーボルトによるボルト締めを行うこととなり、上記先行技術の適用は困難である。つまり、上記先行技術によれば、適用される外壁材の種類が限られてしまう。
【０００６】
本発明は上記事実を鑑みてなされたものであり、外壁材の種類に関係なく、当該外壁材の取付けを行うことが可能となる建物の両面外壁構造及び建物の両面外壁の固定方法の提供を目的とする。
【課題を解決するための手段】
【０００７】
本発明の第１の態様に係る建物の両面外壁構造は、建物の外壁における垂れ壁の骨格の一部を構成する梁材に固定された取付けフレームと、前記取付けフレームに固定され、前記垂れ壁を構成する外壁材と、を備え、前記取付けフレームは、前記取付けフレームの上端部に設けられ、前記梁材の延在方向に沿って複数固定された固定プレートと、前記固定プレートからそれぞれ垂下され、前記梁材の延在方向に沿って複数設けられた縦フレームと、前記取付けフレームの両側面にそれぞれ設けられ、複数の前記縦フレームにおいて、前記梁材の延在方向に対して直交する幅方向の両端がそれぞれ固定され、複数の前記縦フレームとの間で開口部が形成され、外面側に外壁材がそれぞれ固定された一対の横フレームと、を含んで構成されている
【０００８】
本発明の第１の態様に係る建物の両面外壁構造では、建物の外壁における垂れ壁の骨格の一部を構成する梁材に取付けフレームが固定されており、この取付けフレームに、垂れ壁を構成する外壁材が固定されている。ここで、取付けフレームは、固定プレートと、縦フレームと、一対の横フレームと、を含んで構成されている。固定プレートは、当該取付けフレームの上端部に設けられており、梁材の延在方向に沿って複数固定されている。当該固定プレートからは縦フレームがそれぞれ垂下されており、当該縦フレームは、梁材の延在方向に沿って複数設けられている。
【０００９】
また、当該取付けフレームの両側面には、それぞれ横フレームが設けられている。一対の横フレームには、複数の縦フレームにおいて、梁材の延在方向に対して直交する幅方向の両端がそれぞれ固定されており、一対の横フレームと複数の縦フレームとの間には開口部が形成されている。そして、一対の横フレームの外面側には、外壁材がそれぞれ固定されている。すなわち、垂れ壁において、一対の横フレームのうち、一方の横フレームの外面には、内側外壁材が固定され、他方の横フレームの外面には、外側外壁材が固定される。
【００１０】
例えば、外壁材としてサイディング材が用いられる場合、一方の横フレームの外面に対して、取付けフレームの外側から内側外壁材をビスにより固定（ビス止め）し、内側外壁材を一方の横フレームに固定することができる。また、他方の横フレームの外面に対して、取付けフレームの外側から外側外壁材をビス止めし、外側外壁材を他方の横フレームに固定することができる。
【００１１】
一方、外壁材としてＡＬＣ外壁材が用いられる場合、当該ＡＬＣ外壁材には、予め固定用アンカー孔が形成され、当該固定用アンカー孔を介してボルトによる締結（ボルト締結）が行われる。つまり、一対の横フレームに対して、取付けフレームの内側から内側外壁材（ＡＬＣ外壁材）、外側外壁材（ＡＬＣ外壁材）をそれぞれボルト締結し固定させる必要がある。
【００１２】
ここで、本態様における取付けフレームには、一対の横フレームと複数の縦フレームとの間には開口部が形成されている。このため、一方の横フレームの外面に対して、内側外壁材をボルト締結させ固定させた後、他方の横フレームの外面に対しては、当該開口部を通じて取付けフレームの内側から外側外壁材をボルト締結させ固定することができる。すなわち、本態様では、外壁材の種類に関係なく、当該外壁材の取付けを行うことが可能となる。なお、他方の横フレームの外面に外側外壁材を固定させた後、一方の横フレームの外面に内側外壁材を固定させてもよい。
【００１３】
また、複数の縦フレームの幅方向の両端を一対の横フレームにそれぞれ固定し、当該一対の横フレームにそれぞれ内側外壁材、外側外壁材を固定している。つまり、本態様では、内側外壁材、外側外壁材がそれぞれ固定される一対の横フレームを一つの縦フレームで共有している。したがって、例えば、横フレーム毎にそれぞれ縦フレームを用いた場合と比較して、縦フレームの数をその分減らすことができ、垂れ壁においてコスト削減を図ることができる。
【００１４】
本発明の第２の態様に係る建物の両面外壁構造は、建物の外壁における腰壁の骨格の一部を構成する梁材に固定された取付けフレームと、前記取付けフレームに固定され、前記腰壁を構成する外壁材と、を備え、前記取付けフレームは、前記取付けフレームの下端部に設けられ、前記梁材の延在方向に沿って複数固定された固定プレートと、前記固定プレートからそれぞれ立設され、前記梁材の延在方向に沿って複数設けられた縦フレームと、前記取付けフレームの両側面にそれぞれ設けられ、複数の前記縦フレームにおいて、前記梁材の延在方向に対して直交する幅方向の両端がそれぞれ固定され、複数の前記縦フレームとの間で開口部が形成され、外面側に外壁材がそれぞれ固定された一対の横フレームと、を含んで構成されている。
【００１５】
本発明の第２の態様に係る建物の両面外壁構造では、建物の外壁における腰壁の骨格の一部を構成する梁材に取付けフレームが固定されており、この取付けフレームに、腰壁を構成する外壁材が固定されている。ここで、取付けフレームは、固定プレートと、縦フレームと、一対の横フレームと、を含んで構成されている。固定プレートは、当該取付けフレームの下端部に設けられており、梁材の延在方向に沿って複数固定されている。当該固定プレートからは縦フレームがそれぞれ立設しており、当該縦フレームは、梁材の延在方向に沿って複数設けられている。
【００１６】
また、当該取付けフレームの両側面には、それぞれ横フレームが設けられている。一対の横フレームには、複数の縦フレームにおいて、梁材の延在方向に対して直交する幅方向の両端がそれぞれ固定されており、一対の横フレームと複数の縦フレームとの間には開口部が形成されている。そして、一対の横フレームの外面側には、外壁材がそれぞれ固定されている。すなわち、腰壁において、一対の横フレームのうち、一方の横フレームの外面には、内側外壁材が固定され、他方の横フレームの外面には、外側外壁材が固定される。
【００１７】
ここで、本態様における取付けフレームには、一対の横フレームと複数の縦フレームとの間には開口部が形成されている。このため、本態様では、第１の態様と同様に、一方の横フレームの外面に対して、内側外壁材をボルト締結させ固定させた後、他方の横フレームの外面に対して、当該開口部を通じて取付けフレームの内側から外側外壁材をボルト締結させ固定することができるため、外壁材の種類に関係なく、当該外壁材の取付けを行うことが可能となる。
【００１８】
また、本態様では、複数の縦フレームの幅方向の両端を一対の横フレームにそれぞれ固定すると共に、当該一対の横フレームにそれぞれ内側外壁材、外側外壁材を固定するようにして、内側外壁材、外側外壁材がそれぞれ固定される一対の横フレームを一つの縦フレームで共有している。これにより、第１の態様と同様に、例えば、横フレーム毎にそれぞれ縦フレームを用いた場合と比較して、縦フレームの数をその分減らすことができ、腰壁においてコスト削減を図ることができる。
【００１９】
本発明の第３の態様に係る建物の両面外壁構造は、本発明の第１の態様又は第２の態様に係る建物の両面外壁構造において、前記横フレームは、前記縦フレームの上端部に設けられた上側横フレームと、前記縦フレームの下端部に設けられ、水平方向に沿って張り出し前記外壁材が載置可能な載置片が形成された下側横フレームと、を含んで構成されている。
【００２０】
本発明の第３の態様に係る建物の両面外壁構造では、横フレームは、縦フレームの上端部に設けられた上側横フレームと、縦フレームの下端部に設けられた下側横フレームと、を含んで構成されており、下側横フレームには、水平方向に沿って張り出し外壁材が載置可能な載置片が形成されている。横フレームの外面側の固定される外壁材は、下側横フレームに形成された載置片に載置させた状態で、上側横フレーム及び下側横フレームにそれぞれ固定されるため、作業性がよい。
【００２１】
本発明の第４の態様に係る建物の両面外壁構造は、本発明の第１の態様〜第３の態様の何れか１の態様に係る建物の両面外壁構造において、前記外壁材として、ＡＬＣ外壁材が用いられている。
【００２２】
本発明の第４の態様に係る建物の両面外壁構造では、外壁材としてＡＬＣ外壁材が用いられているため、垂れ壁、腰壁において、外壁材としてサイディング材を用いた場合と比較して、耐火性能が向上する。
【００２３】
本発明の第５の態様に係る建物の両面外壁構造は、本発明の第４の態様に係る建物の両面外壁構造において、前記一対の横フレームにそれぞれ形成された貫通孔から前記ＡＬＣ外壁材の裏面側に形成された固定用アンカー孔へボルトが挿入され締結されている。
【００２４】
外壁材としてＡＬＣ外壁材が用いられる場合、当該ＡＬＣ外壁材には、予め固定用アンカー孔が形成され、固定用アンカー孔を介してボルト締結が行われる。このため、本発明の第５の態様に係る建物の両面外壁構造では、一対の横フレームにそれぞれ形成された貫通孔からＡＬＣ外壁材の裏面側に形成された固定用アンカー孔へボルトが挿入され締結されることにより、当該一対の横フレームに外側ＡＬＣ外壁材、内側ＡＬＣ外壁材をそれぞれ固定させることができる。
【００２５】
本発明の第６の態様に係る建物の両面外壁の固定方法は、本発明の第１の態様〜第５の態様の何れか１の態様に係る建物の両面外壁構造に適用される建物の両面外壁の固定方法であって、前記一対の横フレームのうち一方の横フレームに形成された貫通孔から第１ＡＬＣ外壁材の裏面側に形成された第１固定用アンカー孔へボルトを挿入し締結させる第１締結工程と、前記開口部を通じて、前記一対の横フレームのうち他方の横フレームに形成された貫通孔から第２ＡＬＣ外壁材の裏面側に形成された第２固定用アンカー孔へボルトを挿入し締結させる第２締結工程と、を有している。
【００２６】
本発明の第６の態様に係る建物の両面外壁の固定方法では、第１締結工程において、一対の横フレームのうち一方の横フレームに形成された貫通孔から第１ＡＬＣ外壁材の裏面側に形成された第１固定用アンカー孔へボルトを挿入し締結させ、一方の横フレームに第１ＡＬＣ外壁材を固定する。
【００２７】
次に、第２締結工程では、取付けフレームにおいて縦フレームと一対の横フレームの間で形成された開口部を通じて、他方の横フレームに形成された貫通孔から第２ＡＬＣ外壁材の裏面側に形成された第２固定用アンカー孔へボルトを挿入し締結させ、他方の横フレームに第２ＡＬＣ外壁材を固定する。
【発明の効果】
【００２８】
以上説明したように、本態様に係る建物の両面外壁構造及び建物の両面外壁の固定方法は、外壁材の種類に関係なく、当該外壁材の取付けを行うことができる、という優れた効果を有する。
【図面の簡単な説明】
【００２９】
【図１】本実施の形態に係る建物の両面外壁構造が適用された垂れ壁が用いられたインナガレージを示す概略平面図である。
【図２】図１の２−２線に沿って切断したときの垂れ壁の断面図である。
【図３】本実施の形態に係る建物の両面外壁構造の一部を構成する取付けフレームを示す分解斜視図である。
【図４】本実施の形態に係る建物の両面外壁構造を示す分解斜視図である。
【図５】本実施の形態に係る建物の両面外壁構造の一部を示す梁材に取付けフレームを固定させる前の状態を示す分解斜視図である。
【図６】本実施の形態に係る建物の両面外壁構造の一部を示す取付けフレームにＡＬＣ外壁材を固定させる前の状態を示す分解斜視図である。
【図７】比較例として示す図５に対応する分解斜視図である。
【図８】比較例として示す図６に対応する分解斜視図である。
【発明を実施するための形態】
【００３０】
以下に図面を参照しながら本発明の実施の形態を詳細に説明する。
（建物の両面外壁構造の構成）
まず、本実施の形態に係る建物の両面外壁構造の構成について説明する。
【００３１】
図１には、本実施の形態に係る建物の両面外壁構造１０が適用された垂れ壁１２（ハッチング部分）が用いられたインナガレージ１４の概略平面図が示されており、図２には、図１で示す２−２線に沿って切断したときの垂れ壁１２の断面図が示されている。
【００３２】
図１、図２に示されるように、インナガレージ１４には、ガレージ開口１６が形成されており、当該ガレージ開口１６を通じてインナガレージ１４内と屋外１８とが連通可能とされている。インナガレージ１４内には、車両等が収容可能とされており、ガレージ開口１６を通じてインナガレージ１４内への出入りが可能となっている。
【００３３】
図２に示されるように、ガレージ開口１６の上縁部には、垂れ壁１２が設けられており、垂れ壁１２の裏面側には、シャッタ装置２０が設けられている。シャッタ装置２０は、ガレージ開口１６を開閉するシャッタカーテン２２と、シャッタカーテン２２を巻き取って収納するシャッタボックス２４と、を含んで構成されている。
【００３４】
ガレージ開口１６の両側面には、ガイドレール２６が高さ方向に沿ってそれぞれ延在されており、当該ガイドレール２６によって、シャッタカーテン２２の幅方向（巻き取り方向に対して略直交する方向）の両端部が案内される。そして、ガイドレール２６に沿ってシャッタカーテン２２が昇降することによって、ガレージ開口１６が開閉可能とされる。
【００３５】
（垂れ壁）
ここで、垂れ壁１２について説明する。
【００３６】
図１に示されるように、インナガレージ１４において対向する一対の側壁２８、３０には、図示はしないが、屋外１８側とインナガレージ１４内（屋内１５）側にそれぞれ柱が立設されている。当該側壁２８、３０において、屋外１８側の柱の上端部、下端部と屋内１５側の柱の上端部、下端部には大梁がそれぞれ架け渡されており、側壁２８の屋内１５側の柱の上端部、下端部と側壁３０の屋内１５側の柱の上端部、下端部には大梁がそれぞれ架け渡されている。
【００３７】
また、側壁２８の屋外１８側の柱の上端部と側壁３０の屋外１８側の柱の上端部には、図２に示される大梁（梁材）３２が架け渡されている。この大梁３２を介して垂れ壁１２が形成されている。なお、垂れ壁１２は、屋内１５側に設けられるＡＬＣ内側外壁材４４と、屋外１８側に設けられるＡＬＣ外側外壁材４６と、を含んで構成されている。
【００３８】
図３に示される大梁３２には、例えば、Ｈ形鋼が用いられており、上下方向に沿って配置されたウエブ３４と、当該ウエブ３４の上端に設けられ略水平方向に沿って張り出す上フランジ部３６と、当該ウエブ３４の下端に設けられ略水平方向に沿って張り出す下フランジ部３８と、を含んで構成されている。
【００３９】
大梁３２の下フランジ部３８には、ウエブ３４を間においた両側にそれぞれ固定穴３８Ａが形成されており、固定穴３８Ａは、大梁３２の延在方向に沿って複数設けられている。そして、当該下フランジ部３８には、取付けフレーム４０が固定可能とされている。この取付けフレーム４０を介して、屋内１５側にはＡＬＣ内側外壁材４４が固定され、屋外１８側にはＡＬＣ外側外壁材４６が固定されている。
【００４０】
（取付けフレーム）
以下、取付けフレーム４０について説明する。
【００４１】
図２、図３に示されるように、取付けフレーム４０は、例えば、大梁３２に固定される固定プレート４２、４３と、ＡＬＣ内側外壁材４４が固定される横フレーム４８と、ＡＬＣ外側外壁材４６が固定される横フレーム５０と、横フレーム４８と横フレーム５０の間に配設されると共に固定プレート４２、４３にそれぞれ固定される一対の縦フレーム５２、５４と、を含んで構成されている。
【００４２】
ここで、横フレーム４８は、屋内１５側に配置されるようになっており、板状の鋼材で形成されＡＬＣ内側外壁材４４の上部が固定される上側横フレーム５６と、側面視で略Ｌ字状を成し、ＡＬＣ内側外壁材４４の下部が固定される下側横アングル（下側横フレーム）５８と、を含んで構成されている。
【００４３】
また、横フレーム５０は、屋外１８側に配置されるようになっており、板状の鋼材で形成されＡＬＣ外側外壁材４６の上部が固定される上側横フレーム６０と、側面視で略逆Ｌ字状を成しＡＬＣ外側外壁材４６の下部が固定される下側横アングル（下側横フレーム）６２と、を含んで構成されている。
【００４４】
なお、下側横アングル５８は、後述するが、縦フレーム５２、５４が溶接される固定片６４と、ＡＬＣ内側外壁材４４が載置される載置片６６と、を含んで構成されている。また、下側横アングル６２は、縦フレーム５２、５４が溶接される固定片６８と、ＡＬＣ外側外壁材４６が載置される載置片７０と、を含んで構成されている。
【００４５】
一方、一対の縦フレーム５２、５４は、それぞれ板状の鋼材で形成されており、平面視で略Ｕ字状を成している。縦フレーム５２は、ウエブ部７２と、フランジ部（縦フレームの幅方向の一端）７４、フランジ部（縦フレームの幅方向の他端）７６と、を含んで構成されており、ウエブ部７２の幅方向の中央部には、当該ウエブ部７２の長手方向に沿って二つの連結穴７２Ａが形成されている。
【００４６】
また、縦フレーム５４は、ウエブ部７８と、フランジ部（縦フレームの幅方向の一端）８０、フランジ部（縦フレームの幅方向の他端）８２と、を含んで構成されており、縦フレーム５２と同様に、ウエブ部７８の幅方向の中央部には、当該ウエブ部７８の長手方向に沿って二つの連結穴７８Ａが形成されている。
【００４７】
前述のように、縦フレーム５２、５４は、横フレーム４８と横フレーム５０の間に配設されている。そして、図３、図４に示されるように、縦フレーム５２、５４は、開口が向かい合うように配置され、縦フレーム５２のフランジ部７４、縦フレーム５４のフランジ部８０は、横フレーム４８の上側横フレーム５６及び下側横アングル５８にそれぞれ溶接（結合）されている。
【００４８】
また、縦フレーム５２のフランジ部７６、縦フレーム５４のフランジ部８２は、横フレーム５０の上側横フレーム６０及び下側横アングル６２にそれぞれ溶接（結合）されている。この状態で、横フレーム４８、５０と縦フレーム５２、５４との間に開口部５５（後述する）が形成される。
【００４９】
さらに、縦フレーム５２、５４の上端には、それぞれ固定プレート４２、４３が溶接（結合）されている。なお、固定プレート４２、４３には、大梁３２の下フランジ部３８に形成された固定穴３８Ａに対応して固定穴４２Ａ、４３Ａがそれぞれ形成されている。
【００５０】
以上のような構成により形成された取付けフレーム４０は、図４に示されるように、大梁３２の長さに合わせて複数連結させることによって一体化させることができる。前述のように、縦フレーム５２、５４のウエブ部７２、７８には、それぞれ連結穴７２Ａ、７８Ａが形成されている。このため、隣接して配置される取付けフレーム４０において、隣接する縦フレーム５２、５４同士の連結穴７２Ａ、７８Ａに対して、図示はしないがボルトを挿通しナットを締結させることで、隣接して配置される取付けフレーム４０同士を連結させることができる。なお、横フレーム４８、５０の長さを変えることによって、取付けフレーム４０の長さは、適宜変更可能となる。
【００５１】
ところで、ＡＬＣ内側外壁材４４及びＡＬＣ外側外壁材４６は、軽量気泡コンクリート（ＡＬＣ）が外壁材として補強材により補強されると共に表面等が止水処理されて仕上げられた外壁材であり、内部に中空層（中空部）が形成されていない所謂中実かつ厚物の外壁材とされている。
【００５２】
このため、図２、図６に示されるように、外壁材として、ＡＬＣ内側外壁材４４、ＡＬＣ外側外壁材４６が用いられる場合、ＡＬＣ内側外壁材４４、ＡＬＣ外側外壁材４６には、予め固定用アンカー孔８４、８６がそれぞれ形成されている。
【００５３】
そして、図２に示されるように、固定用アンカー孔８４、８６内にボルト８８、９０を挿通しそれぞれ締結させることで、取付けフレーム４０に対して、ＡＬＣ内側外壁材４４、ＡＬＣ外側外壁材４６がそれぞれ固定可能とされる。
【００５４】
具体的に説明すると、ＡＬＣ内側外壁材４４の上部は、横フレーム４８の上側横フレーム５６に固定され、ＡＬＣ内側外壁材４４の下部は、横フレーム４８の下側横アングル５８に固定される。また、ＡＬＣ外側外壁材４６の上部は、横フレーム５０の上側横フレーム６０に固定され、ＡＬＣ外側外壁材４６の下部は、横フレーム５０の下側横アングル６２に固定される。
【００５５】
このため、横フレーム４８の上側横フレーム５６には、ＡＬＣ内側外壁材４４の上部に設けられた複数の固定用アンカー孔８４Ｂに対応して、貫通孔５６Ａがそれぞれ形成されている。また、横フレーム４８の下側横アングル５８には、ＡＬＣ内側外壁材４４の下部に設けられた複数の固定用アンカー孔８４Ａに対応して、固定片６４には貫通孔５８Ａがそれぞれ形成されている。
【００５６】
一方、横フレーム５０の上側横フレーム６０には、ＡＬＣ外側外壁材４６の上部に設けられた複数の固定用アンカー孔８６Ｂに対応して、貫通孔６０Ａがそれぞれ形成されている。また、横フレーム５０の下側横アングル６２には、ＡＬＣ外側外壁材４６の下部に設けられた複数の固定用アンカー孔８６Ａに対応して、固定片６８には貫通孔６２Ａがそれぞれ形成されている。
【００５７】
＜建物の両面外壁構造の作用及び効果＞
次に、本実施の形態に係る建物の両面外壁構造の作用及び効果について説明する。
まず、本実施の形態に係る建物の両面外壁の固定方法について説明する。なお、図５及び図６は、図４で示す取付けフレーム４０の縦フレーム５２側のみが図示されている。
【００５８】
図３、図５に示されるように、大梁３２の下フランジ部３８に取付けフレーム４０の固定プレート４２、４３を当接させ、固定プレート４２、４３の固定穴４２Ａ、４３Ａ及び下フランジ部３８の固定穴３８Ａにボルト９２（図２参照）を挿通し、ナット９４（図２参照）を締結させ、取付けフレーム４０を大梁３２に固定する（取付けフレーム固定工程）。
【００５９】
次に、図２、図６に示されるように、取付けフレーム４０の下側横アングル５８の載置片６６にＡＬＣ内側外壁材４４を載置させた状態で、下側横アングル５８の固定片６４に形成された複数の貫通孔５８Ａ、及びＡＬＣ内側外壁材４４に形成された複数の固定用アンカー孔８４Ａにそれぞれボルト８８Ａを挿通させそれぞれ締結させる。
【００６０】
そして、取付けフレーム４０の上側横フレーム５６に形成された複数の貫通孔５６Ａ及びＡＬＣ内側外壁材４４に形成された複数の固定用アンカー孔８４Ｂにそれぞれボルト８８Ｂを挿通させ締結させる。これにより、上側横フレーム５６及び下側横アングル５８を介して、ＡＬＣ内側外壁材４４を取付けフレーム４０に固定する（ＡＬＣ内側外壁材固定工程；第１締結工程）。
【００６１】
さらに、取付けフレーム４０の下側横アングル６２の載置片７０にＡＬＣ外側外壁材４６を載置させた状態で、横フレーム５０と横フレーム４８の間に形成された開口部５５を通じて、下側横アングル６２の固定片６８に形成された複数の貫通孔６２Ａ、及びＡＬＣ外側外壁材４６に形成された複数の固定用アンカー孔８６Ａにそれぞれボルト９０Ａを挿通させそれぞれ締結させる。
【００６２】
そして、当該開口部５５を通じて、取付けフレーム４０の上側横フレーム６０に形成された複数の貫通孔６０Ａ及びＡＬＣ外側外壁材４６に形成された複数の固定用アンカー孔８６Ｂにそれぞれボルト９０Ｂを挿通させ締結させる。これにより、上側横フレーム６０及び下側横アングル６２を介して、ＡＬＣ外側外壁材４６を取付けフレーム４０に固定する（ＡＬＣ外側外壁材固定工程；第２締結工程）。
【００６３】
以上のような手順で、図１、図２に示されるように、インナガレージ１４に垂れ壁１２が形成される。
【００６４】
図３、図４に示されるように、本実施形態では、取付けフレーム４０は、固定プレート４２、４３と、縦フレーム５２、５４と、一対の横フレーム４８、５０と、を含んで構成されている。固定プレート４２、４３は、当該取付けフレーム４０の上端部に設けられており、大梁３２の延在方向に沿って複数固定されている。また、固定プレート４２、４３からは、縦フレーム５２、５４がそれぞれ垂下されており、当該縦フレーム５２、５４は、大梁３２の延在方向に沿って複数設けられている。
【００６５】
また、当該取付けフレーム４０の両側面には、それぞれ横フレーム４８、５０が設けられている。この横フレーム４８、５０には、複数の縦フレーム５２、５４の幅方向の両端がそれぞれ固定されており、一対の横フレーム４８、５０と複数の縦フレーム５２、５４との間には開口部５５が形成されている。
【００６６】
そして、図２、図６に示されるように、横フレーム４８の外面側には、ＡＬＣ内側外壁材４４が固定されており、横フレーム５０の外面側には、ＡＬＣ外側外壁材４６が固定されている。すなわち、垂れ壁１２において、取付けフレーム４０の一部を構成する一対の横フレーム４８、５０のうち、屋内１５側に配置される横フレーム４８の外面には、ＡＬＣ内側外壁材４４が固定され、屋外１８側に配置される横フレーム５０の外面には、ＡＬＣ外側外壁材４６が固定される。
【００６７】
例えば、図示はしないが、外壁材としてサイディング材が用いられる場合、一方の横フレーム４８の外面に対して、取付けフレーム４０の外側から内側サイディング外壁材をビス止めして内側サイディング外壁材を固定し、横フレーム５０の外面に対して、取付けフレーム４０の外側から外側サイディング外壁材をビス止めして外側サイディング外壁材を固定することができる。
【００６８】
一方、外壁材としてＡＬＣ内側外壁材４４、ＡＬＣ外側外壁材４６が用いられる場合、前述のように、当該ＡＬＣ内側外壁材４４、ＡＬＣ外側外壁材４６には、予め固定用アンカー孔８４、８６が形成され、当該固定用アンカー孔８４、８６を介してボルト８８、９０による締結が行われる。つまり、一対の横フレーム４８、５０に対して、取付けフレーム４０の内側からＡＬＣ内側外壁材４４、ＡＬＣ外側外壁材４６をそれぞれボルト締結し固定させる必要がある。
【００６９】
ここで、本実施形態における取付けフレーム４０には、横フレーム４８、５０と縦フレーム５２、５４との間には開口部５５が形成されている。このため、横フレーム４８の外面に対して、ＡＬＣ内側外壁材４４をボルト締結させ固定させた後、横フレーム５０の外面に対しては、当該開口部５５を通じて取付けフレーム４０の内側からＡＬＣ外側外壁材４６をボルト締結させ固定することができる。
【００７０】
すなわち、本実施形態では、外壁材の種類に関係なく、当該外壁材の取付けを行うことが可能となる。なお、横フレーム５０の外面にＡＬＣ外側外壁材４６を固定させた後、横フレーム４８の外面にＡＬＣ内側外壁材４４を固定させてもよいのは勿論のことである。
【００７１】
ところで、比較例として説明する、図７、図８に示される取付けフレーム１００の場合、当該取付けフレーム１００は、ＡＬＣ内側外壁材１０２を固定する取付けフレーム１００Ａと、ＡＬＣ外側外壁材１０６を固定する取付けフレーム１００Ｂと、で構成されている。
【００７２】
取付けフレーム１００Ａには、ＡＬＣ内側外壁材１０２を固定する横フレーム１０４が設けられており、当該横フレーム１０４に対して、一対の縦フレーム１１０が固定されている。なお、図７、図８には、一対の縦フレーム１１０のうち、一方の縦フレーム１１０側のみが図示されている。さらに、一対の縦フレーム１１０の上端には、固定プレート１１４がそれぞれ固定されている。
【００７３】
また、取付けフレーム１００Ｂには、ＡＬＣ外側外壁材１０６を固定する横フレーム１０８が設けられており、当該横フレーム１０８に対して、縦フレーム１１２が固定されている。なお、図７、図８には、一対の縦フレーム１１０と同様、一対の縦フレーム１１２のうち、一方の縦フレーム１１２側のみが図示されている。さらに、一対の縦フレーム１１２の上端には、固定プレート１１６がそれぞれ固定されている。
【００７４】
これらの固定プレート１１４、１１６を、大梁１１８のウエブ１２０を間において下フランジ１２２の両側にそれぞれに固定させるようになっている。また、一対の縦フレーム１１０、１１２の下端部には、それぞれ接続金物１２４が結合されており、当該接続金物１２４を介して縦フレーム１１０、１１２の下端部同士がそれぞれ連結されるようになっている。
【００７５】
これに対して、本実施形態では、図３、図６に示されるように、複数の縦フレーム５２、５４の幅方向の両端を一対の横フレーム４８、５０にそれぞれ固定し、当該一対の横フレーム４８、５０にそれぞれＡＬＣ内側外壁材４４、ＡＬＣ外側外壁材４６を固定している。つまり、本実施形態では、ＡＬＣ内側外壁材４４、ＡＬＣ外側外壁材４６がそれぞれ固定される一対の横フレーム４８、５０を一つの縦フレーム５２、５４で共有している。
【００７６】
したがって、横フレーム毎にそれぞれ縦フレームを用いた場合と比較して、縦フレームの数をその分減らすことができ、コスト削減を図ることができる。また、本実施形態では、図８に示す接続金物１２４も不要であるため、その分のコストをさらに削減することができる。
【００７７】
また、本実施形態では、図６に示されるように、横フレーム４８、５０は、縦フレーム５２、５４の上端部に設けられた上側横フレーム５６、６０と、縦フレーム５２、５４の下端部に設けられた下側横アングル５８、６２と、をそれぞれ含んで構成されている。そして、下側横アングル５８、６２には、水平方向に沿って張り出しＡＬＣ内側外壁材４４、ＡＬＣ外側外壁材４６がそれぞれ載置可能な載置片６６、７０が形成されている。
【００７８】
これにより、横フレーム４８、５０の外面側の固定されるＡＬＣ内側外壁材４４、ＡＬＣ外側外壁材４６は、下側横アングル５８、６２に形成された載置片６６、７０に載置させた状態で、上側横フレーム５６、６０及び下側横アングル５８、６２にそれぞれ固定されるため、作業性がよい。
【００７９】
また、本実施形態では、外壁材としてＡＬＣ内側外壁材４４、ＡＬＣ外側外壁材４６が用いられている。このため、垂れ壁１２において、図示はしないが、外壁材としてサイディング材を用いた場合と比較して、耐火性能が向上する。但し、本発明では、外壁材としてサイディング材が用いられてもよいのは勿論のことである。
【００８０】
なお、本実施形態では、建物の両面外壁構造として垂れ壁１２に適用された例について説明したが、これに限るものではない。例えば、図示はしないが、本発明における建物の両面外壁構造が腰壁に適用されてもよい。
【００８１】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８２】
１０      建物の両面外壁構造
１２      垂れ壁
３２      大梁（梁材）
４０      取付けフレーム
４２      固定プレート（取付けフレーム）
４３      固定プレート（取付けフレーム）
４４      ＡＬＣ内側外壁材（第１ＡＬＣ外壁材、外壁材）
４６      ＡＬＣ外側外壁材（第２ＡＬＣ外壁材、外壁材）
４８      横フレーム（取付けフレーム）
５０      横フレーム（取付けフレーム）
５２      縦フレーム（取付けフレーム）
５４      縦フレーム（取付けフレーム）
５５      開口部
５６      上側横フレーム（横フレーム、取付けフレーム）
５６Ａ    貫通孔
５８      下側横アングル（横フレーム、取付けフレーム）
５８Ａ    貫通孔
６０      上側横フレーム（横フレーム、取付けフレーム）
６０Ａ    貫通孔
６２      下側横アングル（横フレーム、取付けフレーム）
６２Ａ    貫通孔
６６      載置片
７０      載置片
７４      フランジ部（縦フレームの幅方向の一端）
７６      フランジ部（縦フレームの幅方向の他端）
８０      フランジ部（縦フレームの幅方向の一端）
８２      フランジ部（縦フレームの幅方向の他端）
８４      固定用アンカー孔（第１固定用アンカー孔）
８６      固定用アンカー孔（第２固定用アンカー孔）
８８      ボルト
９０      ボルト
【図１】
2019199699.tif 000003
【図２】
2019199699.tif 000004
【図３】
2019199699.tif 000005
【図４】
2019199699.tif 000006
【図５】
2019199699.tif 000007
【図６】
2019199699.tif 000008
【図７】
2019199699.tif 000009
【図８】
2019199699.tif 000010